(57)【要約】【課題】発光ダイオードの精度の良い評価を実現する。【解決手段】輝度測定器が位置に対応する部分に、ＬＥＤ１の端子１ａ、１ｂを貫通させて、一方面側にＬＥＤ１を固定する端子貫通機構を備えた固定用基板１１と、固定用基板１１の他方面と対面し且つ平行した位置に設けられ、ＬＥＤ１の端子１ａ、１ｂが電気的に接続される電気接続用基板１２とを備えている。このＬＥＤ１の評価用治具において、固定用基板１１と電気接続用基板１１とは、電気接続用基板１２にＬＥＤ１が電気的に接続したときに、ＬＥＤ１の端子１ａ、１ｂの根元部分が固定用基板１１の一方面に密着する。【選択図】      図１
2004356210.tif 000002
【特許請求の範囲】
【請求項１】
発光ダイオードの評価をするに際して使用される発光ダイオードの評価用治具であって、
前記発行ダイオードの輝度を測定する輝度測定器の受光位置に対応した部分に設けられ、一方面側から前記発光ダイオードの端子を貫通させて前記発光ダイオードを固定する端子貫通機構を備えた固定用基板と、
前記固定用基板の他方面と対面し且つ前記固定用基板と平行して設けられ、前記固定用基板を貫通した前記発光ダイオードの端子が電気的に接続される電気接続用基板とを備え、
前記固定用基板と前記電気接続用基板とは、前記電気接続用基板に前記発光ダイオードが電気的に接続したときに、前記発光ダイオードの端子の根元部分が前記固定用基板の一方面に密着するように構成されていることを特徴とする発光ダイオードの評価用治具。
【請求項２】
前記電気接続用基板は、前記発光ダイオードの端子の先端部分を着脱自在に接続する着脱機構を備えることを特徴とする請求項１に記載の発光ダイオードの評価用治具。
【請求項３】
前記固定用基板の端子貫通機構は、前記発光ダイオードの端子が挿入される挿入孔が、異なる前記発光ダイオードの端子間隔に対応してスリット状に形成されていることを特徴とする請求項１又は請求項２に記載の発光ダイオードの評価用治具。
【請求項４】
前記固定用基板と前記電気接続用基板との間隔を変更自在に接続する接続手段を備えることを特徴とする請求項１〜請求項３の何れかに記載の発光ダイオードの評価用治具。
【請求項５】
前記固定用基板は、前記発光ダイオードに対する前記輝度測定器の位置を固定するガイド部を更に備えることを特徴とする請求項１〜請求項４の何れかに記載の発光ダイオードの評価用治具。
【請求項６】
前記ガイド部は、前記発光ダイオードに対する前記輝度測定器の位置を固定する位置固定部と、前記固定用基板と前記電気接続用基板との間を接続する接続手段からなることを特徴とする請求項５に記載の発光ダイオードの評価用治具。
【請求項７】
前記電気接続用基板は、前記発光ダイオードの端子を固定する固定機構を備えることを特徴とする請求項１〜請求項６の何れかに記載の発光ダイオードの評価用治具。
【発明の詳細な説明】
【０００１】
【発明の属する技術分野】
本発明は、発光ダイオードの輝度を測定して当該発光ダイオードを評価するに際して使用するための発光ダイオードの評価用治具に関する。
【０００２】
【従来の技術】
従来より、発光ダイオード（ＬＥＤ：Ｌｉｇｈｔ  Ｅｍｉｔｔｉｎｇ  Ｄｉｏｄｅ）の輝度を測定するための治具としては、下記の特許文献１に記載されているように、評価対象となるＬＥＤを、当該ＬＥＤの寸法に応じた固定用治具を用いていた。すなわち、従来では、異なるＬＥＤごとに、個々のＬＥＤの寸法に合わせた固定機構を備えた治具を用意することにより、確実にＬＥＤを固定できるものとしていた。
【０００３】
【特許文献１】
実開昭６４−３３７５９号公報
【０００４】
【発明が解決しようとする課題】
ところで、ＬＥＤを評価するに際しては、ＬＥＤが高い光指向性を有するため、ＬＥＤから発光された光を受光する測定機部分とＬＥＤとの方向及び距離を一定に保持する必要がある。
【０００５】
しかしながら、従来のＬＥＤの評価用治具では、個々のＬＥＤの寸法に合わせた固定機構を採用していたため、寸法が異なる他のＬＥＤの評価に使用した場合には測定誤差が大きくなり、ＬＥＤの評価をすることができなかった。したがって、従来の技術では、寸法の異なるＬＥＤごとに専用の評価用治具を使用せざるを得なかったのが現状であった。
【０００６】
そこで、本発明は、上述した実情に鑑みて提案されたものであり、発光ダイオードの精度の良い評価を実現することができる発光ダイオードの評価用治具を提供することを目的とする。
【０００７】
【課題を解決するための手段】
本発明に係る発光ダイオードの評価用治具は、発光ダイオードの評価をするに際して使用される発光ダイオードの評価用治具であって、輝度測定器の受光位置に対応した部分に設けられ、一方面側から発光ダイオードの端子を貫通させて発光ダイオードを固定する端子貫通機構を備えた固定用基板と、固定用基板の他方面と対面し且つ固定用基板と平行して設けられ、固定用基板を貫通した発光ダイオードの端子が電気的に接続される電気接続用基板とを備えている。この発光ダイオードの評価用治具は、固定用基板と電気接続用基板とは、電気接続用基板に発光ダイオードが電気的に接続したときに、発光ダイオードの端子の根元部分が固定用基板の一方面に密着するように構成されていることによって、上述の課題を解決する。
【０００８】
また、本発明を適用した発光ダイオードの評価用治具は、電気接続用基板を、発光ダイオードの端子の先端部分を着脱自在に接続する着脱機構を備えることが望ましい。
【０００９】
更に、本発明を適用した発光ダイオードの評価用治具は、固定用基板の端子貫通機構を、発光ダイオードの端子が挿入される貫通孔が、異なる発光ダイオードの端子間隔に対応してスリット状に形成されていることが望ましい。
【００１０】
更にまた、本発明を適用した発光ダイオードの評価用治具は、固定用基板と電気接続用基板とを接続する接続手段により、固定用基板と電気接続用基板との間隔を変更自在に接続することが望ましい。
【００１１】
更にまた、本発明を適用した発光ダイオードの評価用治具は、固定用基板に、発光ダイオードに対する輝度測定器の位置を固定するガイド部を備えることが望ましい。
【００１２】
更にまた、本発明を適用した発光ダイオードの評価用治具は、ガイド部を、発光ダイオードに対する輝度測定器の位置を固定する位置固定部と、固定用基板と電気接続用基板との間を接続する接続手段からなるものとしても良い。
【００１３】
更にまた、本発明を適用した発光ダイオードの評価用治具は、電気接続用基板に、発光ダイオードの端子を固定する固定機構を設けることが望ましい。
【００１４】
【発明の実施の形態】
以下、本発明の実施の形態について図面を参照して説明する。
【００１５】
本発明は、例えば図１に示すように構成されたＬＥＤ評価用治具に適用される。
【００１６】
このＬＥＤ（発光ダイオード）評価用治具は、ＬＥＤの評価をするに際して、ＬＥＤ１の輝度を測定する輝度測定器２と共に使用されるものである。ＬＥＤ評価用治具は、ＬＥＤ１の評価をするに際してＬＥＤ１が取り付けられる固定用基板１１及び電気接続用基板１２と、固定用基板１１と電気接続用基板１２とを接続する接続部材１３とからなる。
【００１７】
このＬＥＤ評価用治具では、固定用基板１１の一方面上であって、固定用基板１１にＬＥＤ１が取り付けられた状態でＬＥＤ１の発光方向に輝度測定器２としての光トランジスタが設けられる。
【００１８】
固定用基板１１と電気接続用基板１２とは、対面した位置であって平行に設けられている。この固定用基板１１と電気接続用基板１２との間隔は、高さ方向において同一の複数の接続部材１３により規制されている。
【００１９】
固定用基板１１は、評価対象となるＬＥＤ１の端子１ａ、１ｂが貫通する端子貫通機構を備え、当該端子貫通機構にＬＥＤ１の端子１ａ、１ｂが挿入されることによりＬＥＤ１を固定面の平面方向に固定する。これにより、固定用基板１１は、ＬＥＤ１を固定して、ＬＥＤ１の発光方向を輝度測定器２により受光可能な状態にする。また、この固定用基板１１は、ＬＥＤ１の端子１ａ、１ｂの先端部分を下方の電気接続用基板１２側に貫通させる。
【００２０】
電気接続用基板１２は、固定用基板１１を貫通したＬＥＤ１の端子１ａ、１ｂの先端部分が電気的に接続される。この電気接続用基板１２は、端子１ａ、１ｂに接続される電源２１が接続され、当該電源２１からの電流を端子１ａ、１ｂに供給することにより、ＬＥＤ１を発光させる。
【００２１】
このようなＬＥＤ評価用治具では、ＬＥＤ１の評価時に、ＬＥＤ１が固定用基板１１に挿入されて端子１ａ、１ｂの先端部分が電気接続用基板１２に電気的に接続された状態となると、ＬＥＤ１の端子１ａ、１ｂの根元部分が固定用基板１１に密着した状態となる。したがって、このＬＥＤ評価用治具によれば、固定用基板１１と電気接続用基板１２との２枚の基板によりＬＥＤ１を固定することで、端子１ａ、１ｂの根元部分によりＬＥＤ１の発光部分を所定方向に確実に固定することができる。これにより、ＬＥＤ評価用治具によれば、ＬＥＤ１の発光方向と輝度測定器２の光受光部分との位置関係を精度良く保持することができ、ＬＥＤ１の指向性が高いために固定位置の誤差によって測定誤差が発生することなく、精度良くＬＥＤ１の輝度測定をしてＬＥＤ１の評価をすることができる。
【００２２】
また、このＬＥＤ評価用治具によれば、ＬＥＤ１と固定用基板１１とを密着固定するので、外部からの光の侵入を受けることが無く、更に高い精度でＬＥＤ１の評価を実現することができる。
【００２３】
更に、このＬＥＤ評価用治具では、固定用基板１１と電気接続用基板１２との間隔を変更自在に接続する接続部材１３を備えていても良い。これにより、ＬＥＤ評価用治具では、接続部材１３の高さ方向の長さ寸法を変更することにより、ＬＥＤ１によって端子１ａ、１ｂの長さ寸法（リード長さ）が異なる場合であっても確実に端子１ａ、１ｂの先端を電気接続用基板１２で電気的に接続することができ、確実にＬＥＤ１を固定することができる。
【００２４】
つぎに、ＬＥＤ評価用治具の他の構成例について図２を参照して説明する。
【００２５】
このＬＥＤ評価用治具は、図２に示すように、電気接続用基板１２の固定用基板１１側の面に、ＬＥＤ１の端子１ａ、１ｂの先端部分を着脱自在とする着脱機構としてのコネクタ３１を設けている。このコネクタ３１では、端子１ａ、１ｂが電気的に接続された場合に、電源２１からの電流を端子１ａ、１ｂに伝達する。
【００２６】
このようなＬＥＤ評価用治具によれば、図１に示すようにＬＥＤ１を誤差無く固定することができると共に、多数のＬＥＤ１を評価する場合であっても、ＬＥＤ１の着脱を容易とすることができる。したがって、このＬＥＤ評価用治具によれば、ＬＥＤ１の評価の時間的な効率を向上させることができる。
【００２７】
つぎに、固定用基板１１の具体的な構成例を図３を参照して説明する。
【００２８】
この固定用基板１１は、その平面図を図３に示すように、端子１ａ、１ｂの挿入孔をスリット部４１Ａ、４１Ｂとして形成している。これらスリット部４１Ａ、４１Ｂは、端子１ａ、１ｂの端子貫通機構として機能する。
【００２９】
このような固定用基板１１は、例えば小型のＬＥＤ１であって端子１ａと端子１ｂとの間隔が短い場合には、スリット部４１Ａに端子１ａ、１ｂが挿入された場合を示すように、スリット部４１Ａの長手方向の長さよりも端子１ａと端子１ｂとの間隔が短くなってＬＥＤ１を固定する。
【００３０】
また、固定用基板１１は、例えば大型のＬＥＤ１であって端子１ａと端子１ｂとの間隔がスリット部４１Ａ、４１Ｂの長手方向の長さと略同一である場合には、スリット部４１Ｂに端子１ａ、１ｂが挿入された場合を示すようにＬＥＤ１を固定する。
【００３１】
したがって、このような固定用基板１１を備えたＬＥＤ評価用治具によれば、ＬＥＤ１の寸法が異なる場合やＬＥＤ１の端子１ａ、１ｂピッチが異なる場合であっても、端子１ａ、１ｂの根元部分を固定用基板１１に密着して貫通させることができ、確実にＬＥＤ１を固定することができる。
【００３２】
なお、図３に示す固定用基板１１を使用した場合、ＬＥＤ評価用治具は、固定用基板１１と同様にスリット状の電気的接続部分を電気接続用基板１２に設けて端子１ａ、１ｂの先端部分を電気的に接続しても良く、端子１ａ、１ｂピッチが異なるＬＥＤ１に対応したコネクタ３１を使用しても良い。
【００３３】
つぎに、ＬＥＤ評価用治具の更に他の構成例について説明する。
【００３４】
このＬＥＤ評価用治具は、図４に示すように、固定用基板１１に凹部５１を設け、当該凹部５１を設けた底面部分にＬＥＤ１の端子１ａ、１ｂを貫通させると共に、輝度測定器２の支持部材２ａを固定させている。
【００３５】
この凹部５１は、輝度測定器２の支持部材２ａの先端部分における幅と略同じ幅を有し、支持部材２ａの位置を規制する位置ガイド部として機能する。これにより、凹部５１は、ＬＥＤ１に対する輝度測定器２の受光位置を固定させた状態とさせる。
【００３６】
また、このＬＥＤ評価用治具では、図５に固定用基板１１の平面図を示すように、支持部材２ａの位置を規制する位置ガイド部として、固定用基板１１の輝度測定器２側に複数の突起部を有し、固定用基板１１と電気接続用基板１２とを接続する接続部材５２を設けている。この接続部材５２は、端子１ａ、１ｂの貫通部分近傍にて固定用基板１１を貫通し、固定用基板１１の平面上の縦方向及び横方向における形成間隔が支持部材２ａの寸法と略同一となっている。これにより、接続部材５２は、凹部５１と同様に、ＬＥＤ１に対する輝度測定器２の受光位置を固定させた状態とさせる。
【００３７】
したがって、図４及び図５に示す固定用基板１１を備えたＬＥＤ評価用治具によれば、ＬＥＤ１の取付位置に対する輝度測定器２の位置精度を向上させて、ＬＥＤ１の評価精度を向上させることができる。
【００３８】
なお、接続部材５２は、上述した場合と同様に、固定用基板１１と電気接続用基板１２との間隔を変更可能に構成されたものであっても良く、電気接続用基板１２にコネクタ３１を設けた場合であってもコネクタ３１の取付部分近傍に接続部材５２を設けることにより適用可能となる。
【００３９】
つぎに、ＬＥＤ評価用治具の更に他の構成例について説明する。
【００４０】
このＬＥＤ評価用治具は、図６にコネクタ３１の平面図を示すように、電気的な接続点である電極３１ａ間の一部にくぼみ部３１ｂを設けたコネクタ３１を電気接続用基板１２上に設けている。また、このコネクタ３１は、固定用基板１１に設けられた端子貫通機構に対向した位置である端子１ａ、１ｂの挿入部分をくぼみ部３１ｂとしている。
【００４１】
このようなコネクタ３１では、端子１ａ、１ｂがくぼみ部３１ｂに挿入された状態において、くぼみ部３１ｂにより、長手方向に端子１ａ、１ｂが位置変動することを規制する。これにより、コネクタ３１では、端子１ａ、１ｂを固定することにより固定用基板１１上のＬＥＤ１を固定することが可能となる。
【００４２】
したがって、このようなコネクタ３１を備えたＬＥＤ評価用治具によれば、固定用基板１１のみならず、コネクタ３１によっても端子１ａ、１ｂを固定することができ、更にＬＥＤ１の位置精度を向上させることができる。
【００４３】
なお、このコネクタ３１は、上述の図１〜図５を用いて説明したＬＥＤ評価用治具であっても適用可能であることは勿論である。
【００４４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００４５】
【発明の効果】
本発明に係る発光ダイオードの評価用治具によれば、電気接続用基板に発光ダイオードが電気的に接続したときに、発光ダイオードの端子の根元部分が固定用基板の一方面に密着するように構成されているので、端子の根元部分により発光ダイオードの発光部分を所定方向に確実に固定することができる。これにより、発光ダイオードの評価用治具によれば、発光ダイオードの発光方向と輝度測定器の受光部分との位置関係を精度良く保持することができ、発光ダイオードの指向性が高いために固定位置の誤差によって測定誤差が発生することなく、精度良く発光ダイオードの輝度の測定をして発光ダイオードの評価を実現することができる。
【図面の簡単な説明】
【図１】本発明を適用したＬＥＤ評価用治具の概略断面図である。
【図２】本発明を適用した他のＬＥＤ評価用治具の概略断面図である。
【図３】本発明を適用した更に他のＬＥＤ評価用治具における固定用基板の平面図である。
【図４】本発明を適用した更に他のＬＥＤ評価用治具の概略断面図である。
【図５】本発明を適用した更に他のＬＥＤ評価用治具における固定用基板の平面図である。
【図６】本発明を適用した更に他のＬＥＤ評価用治具におけるコネクタの平面図である。
【符号の説明】
１  ＬＥＤ
２  輝度測定器
１１  固定用基板
１２  電気接続用基板
１３  接続部材
２１  電源
３１  コネクタ
３１ａ  電極
３１ｂ  くぼみ部
４１Ａ、４１Ｂ  スリット部
５１  凹部
５２  接続部材
【図１】
2004356210.tif 000003
【図２】
2004356210.tif 000004
【図３】
2004356210.tif 000005
【図４】
2004356210.tif 000006
【図５】
2004356210.tif 000007
【図６】
2004356210.tif 000008